(57)【要約】【課題】プリント板の押さえ構造の設置を容易とするとともに、プリント板の押さえ板の固定ねじの固定作業を容易とし、かつプリント板の高さ調整範囲を大きくする。【解決手段】電子機器の枠体内の後部に取付板１２を取り付け、この取付板１２の傾斜部１２ｂに上下方向に設けた係合孔１２ｄに調整ナット１４を移動可能に係合し、押さえ板１５の根元側の挿通孔１５ａに挿通した固定ねじ１６を調整ナット１４の挿通孔１４ｂ及び取付板１２の係合孔１２ｄに挿通して調整ナット１４の雌ねじ部１４ｄに螺合して押さえ板１５を取付板１２の係合孔１２ｄに固定する。又、押さえ板１５の根元側の下部に設けられた溝１５ｂに調整ナット１４の突出部１４ｅを嵌合して押さえ板１５の回り止めをし、かつ押さえ板１５の先端側の下部に設けた凹部１５ｃをプリント板１８の上部に係合する。【選択図】図１
2006344842.tif 000002
【特許請求の範囲】
【請求項１】
電子機器の枠体内の後部に取り付けられ、斜め下方に傾斜して形成されるとともに、この傾斜部に上下方向に係合孔が形成された取付板と、取付板の係合孔に移動可能に係合するとともに、雌ねじ部と突出部を有する調整ナットと、根元側に挿通した固定ねじを調整ナットの雌ねじ部に螺合することにより取付板の係合孔に固定されるとともに、根元側の下部に設けられた溝に調整ナットの突出部が嵌合され、かつ先端側の下部に設けられた凹部が枠体内に配設されたプリント板の上部に係合される押さえ板とを備えたことを特徴とする電子機器のプリント板の押さえ構造。
【発明の詳細な説明】
【技術分野】
【０００１】
この発明は、電子機器のプリント板の押さえ構造に関するものである。
【背景技術】
【０００２】
図５は従来のプリント板の押さえ構造を有する電子機器の縦断正面図を示し、１はパソコン（ＰＣ／ＡＴ互換機）に実装されるフルサイズ又はハーフサイズのプリント板（ＩＳＡボード又はＰＣＩボード）であり、２は電子機器の枠体である。プリント板１のパネル１ａ側の上部は１個の固定ねじ３により枠体２側と固定され、プリント板１の底部はケース２内の底部に固定されたバックプレーン４のコネクタ４ａに接続固定され、プリント板１がフルサイズの場合にはそのパネル１ａとは反対側が枠体２内に上下方向に設けられたレール５により上下動可能に支持され、振れ止めされている。
【０００３】
６は枠体２に固定された固定金具であり、固定金具６の下部には金具７が固定ねじ８により取り付けられ、金具７とプリント板１の上端との間にはゴムクッション９が設けられ、プリント板１の上方への移動は金具６，７によりゴムクッション９を介して押さえられている。プリント板１の高さはメーカーによって異なるが、その場合は固定ねじ８を緩めて金具７を上下に移動させることによりプリント板１を押さえることができる。
【０００４】
この出願の発明に関連する先行技術文献情報としては、次のものがある。
【特許文献１】特開平６−２３２５７４号公報
【特許文献２】特開平１０−１２５４１４号公報
【特許文献３】特開２００２−３１９７９９号公報
【特許文献４】特開２００３−２２３９６４号公報
【特許文献５】特開２００４−３５６８３９号公報
【発明の開示】
【発明が解決しようとする課題】
【０００５】
しかしながら、最近の電子機器は小型化が進み、プリント板１の上端を押さえる金具６，７等を設けるスペースが少なくなり、従来のような押さえ構造が取れなくなった。又、固定ねじ８が前後方向に設けられており、プリント板１の上端と平行となるので、ドライバーによる固定ねじ８の固定作業が困難となり、小さなドライバーを用いないと固定作業ができなかった。さらに、金具７の上下動は固定ねじ８を緩めて行なうが、上下動の範囲が小さく、プリント板１の高さ調整範囲も小さかった。
【０００６】
この発明は上記のような課題を解決するために成されたものであり、小型な電子機器においてもプリント板の押さえ構造を実現することができるとともに、プリント板を押さえる押さえ板を固定する固定ねじの固定作業をドライバーにより容易に行なうことができ、かつプリント板の高さ調整範囲が大きい電子機器のプリント板の押さえ構造を得ることを目的とする。
【課題を解決するための手段】
【０００７】
この発明の請求項１に係る電子機器のプリント板の押さえ構造は、電子機器の枠体内の後部に取り付けられ、斜め下方に傾斜して形成されるとともに、この傾斜部に上下方向に係合孔が形成された取付板と、取付板の係合孔に移動可能に係合するとともに、雌ねじ部と突出部を有する調整ナットと、根元側に挿通した固定ねじを調整ナットの雌ねじ部に螺合することにより取付板の係合孔に固定されるとともに、根元側の下部に設けられた溝に調整ナットの突出部が嵌合され、かつ先端側の下部に設けられた凹部が枠体内に配設されたプリント板の上部に係合される押さえ板とを備えたものである。
【発明の効果】
【０００８】
以上のようにこの発明の請求項１によれば、プリント板の押さえ構造をプリント板の上部でなくプリント板の後部のスペースを利用して設けており、電子機器を小型にしても、プリント板の押さえ構造の設置が容易となる。又、取付板の係合孔を取付板の傾斜部に設けたので、押さえ板の取付板の係合孔に対する取付において固定ねじの締付の際にドライバーを斜めにして使用することができ、押さえ板の取付が容易となる。さらに、、取付板の係合孔を取付板の傾斜部に設けたので、押さえ板の可動範囲が広くなり、プリント板の高さ調整範囲を大きくすることができる。
【発明を実施するための最良の形態】
【０００９】
以下、この発明を実施するための最良の形態を図面とともに説明する。図１（ａ），（ｂ）はこの発明の実施最良形態によるプリント板の押さえ構造を有する小型電子機器の要部横断平面図及び要部縦断正面図を示し、１０は板金製の本体枠、１１も板金製のトップカバーであり、本体枠１０とトップカバー１１により小型電子機器の枠体が構成される。１２は枠体内の本体枠１０の後部に取付ねじ１３により取り付けられた取付板であり、図２（ａ）〜（ｃ）は取付板１２の正面図、側面図及び平面図を示す。図に示すように、取付板１２は本体枠１０に取り付けられる水平部１２ａと、水平部１２ａから斜め下方に傾斜した傾斜部１２ｂとから形成され、水平部１２ａには取付ねじ１３の取付孔１２ｃが設けられ、水平部１２ａから傾斜部１２ｂにかけて（主に傾斜部１２ｂに）上下方向に複数の係合孔１２ｄが形成される。
【００１０】
図３（ａ）〜（ｅ）は折り返し形状で閉じた状態の調整ナット１４の正面図、左側面図、右側面図、底面図及び開いた状態の正面図であり、折り返し形状の一方の部分１４ａには挿通孔１４ｂが形成されるとともに、他方の部分１４ｃには雌ねじ部１４ｄが形成され、一方の部分１４ａの先端部分には直角に突出した突出部１４ｅが形成されるとともに、他方の部分１４ｃの先端部分にも直角に突出した突出部１４ｆが形成される。そして、調整ナット１４は閉じた折り返し状態で取付板１２の係合孔１２ｄに移動可能に挟み込まれる。即ち、調整ナット１４の一方の部分１４ａ及び他方の部分１４ｃは取付板１２の一方の側及び反対側の外側に接し、その接続部分１４ｇは係合孔１２ｄ内に移動自在に位置し、突出部１４ｆは係合孔１２ｄに移動自在に嵌合する。
【００１１】
図４（ａ）〜（ｅ）は樹脂からなる押さえ板１５の一部断面正面図、左側面図、右側面図、平面図及び底面図を示し、押さえ板１５の根元側の一端には挿通孔１５ａが形成され、この挿通孔１５ａに挿通した固定ねじ１６を調整ナット１４の挿通孔１４ｂに挿通した後取付板１２の係合孔１２ｄに挿通し、ドライバー１７により調整ナット１４の雌ねじ部１４ｄに螺合することにより、押さえ板１５の根元側が取付板１２の係合孔１２ｄに固定される。又、押さえ板１５の根元側の下部には溝１５ｂが設けられ、溝１５ｂに調整ナット１４の突出部１４ｅが嵌合される。又、押さえ板１５の先端側の下部に設けられた凹部１５ｃが枠体内に上述した従来のように配設されたハーフサイズのプリント板（ＩＳＡボード又はＰＣＩボード）１８の上部と係合する。溝１５ｂに突出部１４ｅを嵌合するのは、押さえ板１５を固定ねじ１６により取付板１２の係合孔１２ｄに固定する際に押さえ板１５が回転するのを防止するためである。
【００１２】
上記構成において、プリント板１８の高さはメーカーによって種々異なる。このため、プリント板１８の上部を押さえ板１５で押さえる際には、固定ねじ１６を緩めて押さえ板１５を調整ナット１４と共にプリント板１８の高さまで下げ、押さえ板１５の先端の凹部１５ｃにプリント板１８の上部を挟み、固定ねじ１６を締め付ける。
【００１３】
上記した実施最良形態においては、プリント板１８の押さえ構造をプリント板１８の上部ではなく、プリント板１８の後部のスペースを利用して設けており、電子機器を小型化してもプリント板１８の押さえ構造を容易に設置することができる。又、固定ねじ１６による押さえ板１５の取付板１２の係合孔１２ｄに対する取付は、ドライバー１７を斜めにして使用することができるので容易になる。さらに、取付板１２の係合孔１２ｄを傾斜部１２ｂに設けたので、押さえ板１５の可動範囲が広くなり、プリント板１８の高さ調整範囲が大きくなる。
【図面の簡単な説明】
【００１４】
【図１】この発明の実施最良形態によるプリント板の押さえ構造を有する小型電子機器の要部横断平面図及び要部縦断正面図である。
【図２】実施最良形態による取付板の正面図、側面図及び平面図である。
【図３】実施最良形態による調整ナットの正面図、左側面図、右側面図底面図及び開いた状態の正面図である。
【図４】実施最良形態による押さえ板の一部断面正面図、左側面図、右側面図、平面図及び底面図である。
【図５】従来のプリント板の押さえ構造を有する電子機器の縦断正面図である。
【符号の説明】
【００１５】
１０…本体枠
１１…トップカバー
１２…取付板
１２ｂ…傾斜部
１２ｄ…係合孔
１３…取付ねじ
１４…調整ナット
１４ｄ…雌ねじ部
１４ｅ，１４ｆ…突出部
１５…押さえ板
１５ａ…挿通孔
１５ｂ…溝
１５ｃ…凹部
１６…固定ねじ
１７…ドライバー
１８…プリント板
【図１】
2006344842.tif 000003
【図２】
2006344842.tif 000004
【図３】
2006344842.tif 000005
【図４】
2006344842.tif 000006
【図５】
2006344842.tif 000007